(57)【要約】      （修正有）【課題】ユーザーによる簡易な操作で、誤動作なく、画面操作を有効可能とするを提供する。【解決手段】携帯端末１は、マイク７と、加速度センサー８と、表示部４と、タッチパネル５１と、ＣＰＵ２と、を備える。ＣＰＵ２は、表示部４及びタッチパネル５１をオフとしているときに、マイク７が集音した音と、加速度センサー８が検出した動きと、のタイミングが一致している場合に、表示部４及びタッチパネル５１をオンとし、画面操作を有効とする。【選択図】図１
2019145997.tif 000002
【特許請求の範囲】
【請求項１】
マイクと、
加速度センサーと、
表示部と、
タッチパネルと、
制御部と、を備え、
前記制御部は、前記表示部及び前記タッチパネルをオフとしているときに、前記マイクが集音した音と、前記加速度センサーが検出した動きと、のタイミングが一致している場合に、前記表示部及び前記タッチパネルをオンとし、画面操作を有効とすることを特徴とする携帯端末。
【請求項２】
前記制御部は、前記表示部及び前記タッチパネルとオフとしているときに、前記マイクが集音した音と、前記加速度センサーが検出した動きと、のタイミングが２回以上一致している場合に限り、前記表示部及び前記タッチパネルをオンとし、画面操作を有効とすることを特徴とする請求項１に記載の携帯端末。
【請求項３】
前記制御部は、前記表示部及び前記タッチパネルとオフとしているときに、前記マイクが集音した音と、前記加速度センサーが検出した動きと、のタイミングが２回以上一致し、各回のインターバルが、所定の時間である場合に限り、前記表示部及び前記タッチパネルをオンとし、画面操作を有効とすることを特徴とする請求項１に記載の携帯端末。
【請求項４】
腕時計型であることを特徴とする請求項１〜３のいずれか１項に記載の携帯端末。
【発明の詳細な説明】
【技術分野】
【０００１】
本発明は、ウェアラブルタイプの携帯端末に関する。
【背景技術】
【０００２】
携帯端末の小型化が進み、ユーザーの身体に装着する、いわゆる、ウェラブルタイプの携帯端末が登場してきている。例えば、ユーザーの腕に装着する（腕時計型）携帯端末がある（特許文献１、段落００１２参照。）
【先行技術文献】
【特許文献】
【０００３】
【特許文献１】特開２０１７−０１２２７７号公報
【発明の概要】
【発明が解決しようとする課題】
【０００４】
上述したユーザーの腕に装着する携帯端末において、ユーザーによる画面操作を、加速度センサーによる動きの検出をトリガーとして開始する機能を有するものはある。しかしながら、腕は常に動いているため、開始の合図を検出しにくいという問題点がある。また、操作のトリガーとなる動作の単純化も求められる。
【０００５】
本発明の目的は、ユーザーによる簡易な操作で、誤動作なく、画面操作を有効可能とすることである。
【課題を解決するための手段】
【０００６】
第１の発明の携帯端末は、マイクと、加速度センサーと、表示部と、タッチパネルと、制御部と、を備え、前記制御部は、前記表示部及び前記タッチパネルをオフとしているときに、前記マイクが集音した音と、前記加速度センサーが検出した動きと、のタイミングが一致している場合に、前記表示部及び前記タッチパネルをオンとし、画面操作を有効とすることを特徴とする。
【０００７】
本発明では、制御部は、表示部及びタッチパネルをオフとしているときに、マイクが集音した音と、加速度センサーが検出した動きと、のタイミングが一致している場合に、表示部及びタッチパネルをオンとし、画面操作を有効とする。これにより、ユーザーは、例えば、携帯端末がユーザーの腕に装着するタイプ（腕時計型）である場合、指を鳴らす動作（いわゆるフィンガースナップ）をすることで、音と、腕の動きと、の発生タイミングを一致させることができるため、簡易な動作で、画面操作を有効とすることができる。
【０００８】
また、動きの検出に加えて、音も画面操作を有効とするか否かの判断に用いられているため、誤動作が発生することもない。
【０００９】
このように、本発明によれば、ユーザーによる簡易な操作で、誤動作なく、画面操作を有効とすることができる。
【００１０】
また、音と同時に発生する動き（振動）を検出することで、例えば、指を鳴らす音は、一般生活では、発生しにくい音であるから、他の雑音、振動と明確に識別することが可能となる。
【００１１】
第２の発明の携帯端末は、第１の発明の携帯端末において、前記制御部は、前記表示部及び前記タッチパネルとオフとしているときに、前記マイクが集音した音と、前記加速度センサーが検出した動きと、のタイミングが２回以上一致している場合に限り、前記表示部及び前記タッチパネルをオンとし、画面操作を有効とすることを特徴とする。
【００１２】
マイクが集音した音と、加速度センサーが検出した動きと、のタイミングが１回だけ一致している場合、偶然に一致した場合も考えられる。このため、本発明では、制御部は、表示部及びタッチパネルとオフとしているときに、マイクが集音した音と、加速度センサーが検出した動きと、のタイミングが２回以上一致している場合に限り、表示部及びタッチパネルをオンとし、画面操作を有効とする。これにより、偶然による誤動作が防止される。
【００１３】
第３の発明の携帯端末は、第２の発明の携帯端末において、前記制御部は、前記表示部及び前記タッチパネルとオフとしているときに、前記マイクが集音した音と、前記加速度センサーが検出した動きと、のタイミングが２回以上一致し、各回のインターバルが、所定の時間である場合に限り、前記表示部及び前記タッチパネルをオンとし、画面操作を有効とすることを特徴とする。
【００１４】
本発明では、制御部は、表示部及びタッチパネルとオフとしているときに、マイクが集音した音と、加速度センサーが検出した動きと、のタイミングが２回以上一致し、各回のインターバルが、所定の時間である場合に限り、表示部及びタッチパネルをオンとし、画面操作を有効とする。これにより、さらに、誤動作が防止される。
【００１５】
第４の発明の携帯端末は、第１〜第３のいずれかの発明の携帯端末において、腕時計型であることを特徴とする。
【００１６】
本発明では、携帯端末は、腕時計型である。このため、ユーザーは、携帯端末を腕に装着し、例えば、指を鳴らしたり、指、手で机等を叩いたりすることで、簡易な動作により、画面操作を有効にすることができる。
【００１７】
また、携帯端末を装着した腕の手で、音を発生させれば、至近距離から携帯端末に音を出せるため、周りの環境音とのＳＮ比を稼ぐことができ、検出能力が向上する。音を発生させる動作は、片手で単純に行うことが可能であるから、もう一方の腕を自由に保つことができる。
【発明の効果】
【００１８】
本発明によれば、ユーザーによる簡易な操作で、誤動作なく、画面操作を有効とすることができる。
【図面の簡単な説明】
【００１９】
【図１】本発明の実施形態に係る携帯端末の構成を示すブロック図である。
【図２】スタンバイ状態での携帯端末の処理動作を示すフローチャートである。
【発明を実施するための形態】
【００２０】
以下、本発明の実施形態について説明する。図１は、本発明の実施形態に係る携帯端末の構成を示すブロック図である。携帯端末１は、腕時計型の携帯端末であり、いわゆるスマートウォッチである。ユーザーは、携帯端末１を腕に装着し、使用する。図１に示すように、携帯端末１は、ＣＰＵ２、記憶部３、表示部４、操作部５、無線モジュール６、マイク７、加速度センサー８を備える。
【００２１】
ＣＰＵ（Central Processing Unit）２（制御部）は、制御プログラム、ＯＳプログラム、アプリケーションプログラムに従って、携帯端末１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、各種データを記憶するフラッシュメモリから構成されている。
【００２２】
表示部４は、種々の画像（静止画像、動画像を含む）を表示するものであり、液晶パネルにより構成されている。操作部５は、表示部４と連動したタッチパネル５１を備えている。ユーザーは、操作部５を介して、各種の文字入力、設定などを行うことが可能である。無線モジュール６は、Ｂｌｕｅｔｏｏｔｈ（登録商標）規格、Ｗｉ−Ｆｉ規格に従った無線通信を行うためのものである。マイク７は、音を集音する。加速度センサー８は、携帯端末１の動き（振動）を検出する。
【００２３】
ＣＰＵ２は、所定期間、操作部５により、何らの操作も受け付けなかった場合、少なくとも、表示部４及びタッチパネル５１をオフとし、携帯端末１をスタンバイ状態とする。スタンバイ状態で、マイク７は、外部の音を集音している。マイク７が集音した音は、信号として、ＣＰＵ２に出力される。また、加速度センサー８は、携帯端末１の動きを検出している。加速度センサー８が検出した動きは、信号として、ＣＰＵ２に出力される。ＣＰＵ２は、音を示す信号と、動きを示す信号と、を同時に受信した場合、表示部４及びタッチパネル５１をオンとし、画面操作を有効とする。すなわち、ＣＰＵ２は、表示部４及びタッチパネル５１をオフとしているときに、マイク７が集音した音と、加速度センサー８が検出した動きと、のタイミングが一致している場合に、表示部４及びタッチパネル５１をオンとし、画面操作を有効とする。
【００２４】
例えば、ＣＰＵ２は、３回、音を示す信号と、動きを示す信号と、を同時に受信した場合、表示部４及びタッチパネル５１をオンとし、画面操作を有効とする。すなわち、ＣＰＵ２は、表示部４及びタッチパネル５１をオフとしているときに、マイク７が集音した音と、加速度センサー８が検出した動きと、のタイミングが３回一致している場合に、表示部４及びタッチパネル５１をオンとし、画面操作を有効とする。
【００２５】
また、例えば、ＣＰＵ２は、所定のリズムで音を示す信号を受信し、３回、音を示す信号と、動きを示す信号と、を同時に受信した場合、表示部４及びタッチパネル５１をオンとし、画面操作を有効とする。すなわち、ＣＰＵ２は、マイク７が集音した音と、加速度センサー８が検出した動きと、のタイミングが３回一致し、各回のインターバルが、所定の時間である場合、表示部４及びタッチパネル５１をオンとし、画面操作を有効とする。例えば、ユーザーは、一定のリズムで３回指を鳴らしたり、指、手で机等を３回叩いたりすることで、画面操作を有効にすることができる。ここで、画面操作を有効とするか否かを判定するための音（合図音）の長さは、所定時間以下の短い音とする。また、画面操作を有効とするか否かを判定するための動きは、所定時間以下の短い時間の動きとする。
【００２６】
ユーザーは、操作部５を介して、画面操作を有効とするための合図音の回数、及び、リズムを設定することができる。ＣＰＵ２は、操作部５を介して、画面操作を有効とするための合図音の回数、及び、リズムの設定を受け付け、受け付けた回数、及び、リズムを設定する。
【００２７】
以下、スタンバイ状態での携帯端末１の処理動作を、図２に示すフローチャートに基づいて説明する。マイク７は、音を集音し、集音した音を信号として、ＣＰＵ２に出力している（Ｓ１）。また、加速度センサー８は、動きを検出し、検出した動きを信号として、ＣＰＵ２に出力している（Ｓ２）。
【００２８】
ＣＰＵ２は、受信した音を示す信号と、受信した動きを示す信号とが、画面操作を有効とする条件を満たしているか否かを判断する（Ｓ３）。すなわち、ＣＰＵ２は、音を示す信号と、動きを示す信号と、を同時に受信したか否かを判断する。ＣＰＵ２は、音を示す信号と、動きを示す信号と、を同時に受信していないと判断した場合、画面操作を有効とする条件を満たしていないと判断する。ＣＰＵ２は、音を示す信号と、動きを示す信号と、を同時に受信したと判断した場合、音が設定のリズム及び回数であるか否かを判断する。ＣＰＵ２は、音が設定のリズム及び回数であると判断した場合、画面操作を有効とする条件を満たしていると判断する。一方、ＣＰＵ２は、音が設定のリズム及び回数でないと判断した場合、画面操作を有効とする条件を満たしていると判断する。
【００２９】
ＣＰＵ２は、受信した音を示す信号と、受信した動きを示す信号とが、画面操作を有効とする条件を満たしていると判断した場合（Ｓ３：Ｙｅｓ）、表示部４及びタッチパネル５１をオンとし、画面操作を有効とする（Ｓ４）。一方で、ＣＰＵ２は、受信した音を示す信号と、受信した動きを示す信号とが、画面操作を有効とする条件を満たしていないと判断した場合（Ｓ３：Ｎｏ）、音及び動きを無視する。この場合、携帯端末１は、スタンバイ状態のままで、Ｓ１〜Ｓ３の処理が引き続き行われることとなる。
【００３０】
以上説明したように、本実施形態では、ＣＰＵ２は、表示部４及びタッチパネル５１をオフとしているときに、マイク７が集音した音と、加速度センサー８が検出した動きと、のタイミングが一致している場合に、表示部４及びタッチパネル５１をオンとし、画面操作を有効とする。これにより、ユーザーは、例えば、携帯端末１を腕に装着し、指を鳴らす動作（いわゆるフィンガースナップ）をすることで、音と、腕の動きと、の発生タイミングを一致させることができるため、簡易な動作で、誤動作なく、画面操作を有効とすることができる。
【００３１】
また、動きの検出に加えて、音も画面層を有効とするか否かの判断に用いられているため、誤動作が発生することもない。
【００３２】
このように、本実施形態によれば、ユーザーによる簡易な操作で、誤動作なく、画面操作を有効とすることができる。
【００３３】
また、音と同時に発生する動き（振動）を検出することで、例えば、指を鳴らす音は、一般生活では、発生しにくい音であるから、他の雑音、振動と明確に識別することが可能となる。
【００３４】
また、携帯端末１は、腕時計型である。このため、ユーザーは、携帯端末を腕に装着し、例えば、指を鳴らしたり、指、手で机を叩いたりすることで、簡易な動作により、画面操作を有効にすることができる。
【００３５】
また、携帯端末１を装置した腕の手で、音を発生させれば、至近距離から携帯端末に音を出せるため、周りの環境音とのＳＮ比を稼ぐことができ、検出能力が向上する。音を発生させる動作は、片手で単純に行うことが可能であるから、もう一方の腕を自由に保つことができる。
【００３６】
ここで、マイク７が集音した音と、加速度センサー８が検出した動きと、のタイミングが１回だけ一致している場合、偶然に一致した場合も考えられる。このため、ＣＰＵ２は、表示部４及びタッチパネル５１とオフとしているときに、マイク７が集音した音と、加速度センサー８が検出した動きと、のタイミングが２回以上一致している場合に限り、表示部及びタッチパネルをオンとし、画面操作を有効とするようにしてもよい。これにより、偶然による誤動作が防止される。例えば、ＣＰＵ２は、合図音の回数の設定において、１回の設定を受け付けないようになっていてもよい。
【００３７】
また、ＣＰＵ２は、表示部及びタッチパネルとオフとしているときに、マイクが集音した音と、加速度センサーが検出した動きと、のタイミングが２回以上一致しても、各回のインターバルが、所定の時間である場合に限り、表示部４及びタッチパネル５１をオンとし、画面操作を有効とするようになっていてもよい。この場合、さらに、誤動作が防止される。
【００３８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３９】
上述の実施形態においては、ウェアラブルタイプの携帯端末として、腕時計型の携帯端末を例示した。これに限らず、例えば、ユーザーの首に装着するネックバンド型の携帯端末であってもよい。
【産業上の利用可能性】
【００４０】
本発明は、ウェアラブルタイプの携帯端末に好適に採用され得る。
【符号の説明】
【００４１】
１  携帯端末
２  ＣＰＵ（制御部）
４  表示部
５  操作部
５１  タッチパネル
７  マイク
８  加速度センサー
【図１】
2019145997.tif 000003
【図２】
2019145997.tif 000004